(57)【要約】【課題】  路側装置から車載装置に対して、ユーザの関心が高いと思われる広告情報を効率良くかつ確実に配信することができる広告配信システムを提供する。【解決手段】  ユーザの関心が高い事柄を記載した嗜好情報Ｄ１を予め車載装置１に登録しておき、路側装置２から広告情報Ｄ３を配信するのに先立って、この嗜好情報Ｄ１を車載装置１から路側装置２へ送信する。そして、路側装置２において、車載装置１に対して配信可能な広告情報Ｄ３の内からユーザの関心が高いと思われる広告内容を選別した上で、その選別した広告情報Ｄ３を車載装置１に転送する。【選択図】        図１
2005134707.tif 000002
【特許請求の範囲】
【請求項１】
狭域通信（ＤＳＲＣ）により路側装置から車載装置に対して広告情報を配信するためのシステムであって、
上記車載装置は、予め設定されたユーザの嗜好情報を保持する嗜好情報保持手段と、上記路側装置の要求に応じて当該装置に上記嗜好情報保持手段で保持されている嗜好情報を通知する嗜好情報通知手段と、上記路側装置から送られる広告情報を再生する広告情報再生手段とを有する一方、
上記路側装置は、各種の広告情報を記憶する広告情報記憶手段と、この広告情報記憶手段に記憶されている広告情報の内から上記車載装置より受け取った嗜好情報に応じた広告情報を選別する情報選別手段と、この情報選別手段で選別された広告情報のみを上記車載装置に送信する広告情報送信手段と、を備えることを特徴とする広告配信システム。
【請求項２】
上記嗜好情報保持手段には、上記嗜好情報に対してユーザ識別用のユーザＩＤが付加されており、上記嗜好情報通知手段は、上記路側装置の要求に応じて当該装置に上記嗜好情報と共に上記ユーザＩＤを通知するものである一方、上記路側装置は、上記車載装置から受け取ったユーザＩＤの正当性を認証する認証手段を備えていることを特徴とする請求項１記載の広告配信システム。
【請求項３】
上記嗜好情報保持手段に記憶されている嗜好情報は、路側装置が持つ秘密鍵に対応した公開鍵で暗号化された状態で保持される一方、上記情報選別手段は、上記車載装置から受け取った暗号化された嗜好情報を復号した上で広告情報を選別するものであることを特徴とする請求項１または請求項２に記載の広告配信システム。
【請求項４】
上記車載装置に接続されて、上記嗜好情報保持手段に保持される嗜好情報およびユーザＩＤの少なくとも一方の書き換えを行う外部端末機を備えることを特徴とする請求項１または請求項２に記載の広告配信システム。
【請求項５】
上記外部端末機は、予め指定した公開鍵で上記嗜好情報を暗号化してから上記嗜好情報保持手段に書き込むものであることを特徴とする請求項４記載の広告配信システム。
【発明の詳細な説明】
【技術分野】
【０００１】
本発明は、狭域通信（ＤＳＲＣ）により路側装置から車載装置に対して広告情報を配信するための広告配信システムに関する。
【背景技術】
【０００２】
近年普及が著しい、自動料金収受（Ｅｌｅｃｔｒｏｎｉｃ  Ｔｏｌｌ  Ｃｏｌｌｅｃｔｉｏｎ：ＥＴＣ）システムでは、狭域通信（Ｄｅｄｉｃａｔｅｄ  Ｓｈｏｒｔ  Ｒａｎｇｅ  Ｃｏｍｍｕｎｉｃａｔｉｏｎ：ＤＳＲＣ）システムを利用して料金所における有料道路の利用料金の決済を行っている。これに合わせて、狭域通信（ＤＳＲＣ）をＥＴＣ以外の目的に適用する方式も検討されつつある。
【０００３】
このような狭域通信を利用したシステムとして、従来、例えば広告配信システムが提案されている（例えば、特許文献１参照）。この広告配信システムでは、ＥＴＣの料金所において通行料金の決済を行う際に、路側装置より広告情報を車載装置に配信することにより、ＥＴＣの利用促進を図っている。
【０００４】
また、別の応用例として駐車場の決済システムがある。この駐車場の決済システムでは、駐車場契約時に取り決めた車の所有者を識別するためのユーザＩＤの情報を予め車載装置に書き込んでおき、車載装置から路側装置へ上記のユーザＩＤを伝えることによって駐車場の登録車輌であるを証明して、駐車場の管理や駐車料金の決済等を行っている（例えば、非特許文献１参照）。
【０００５】
【特許文献１】特開２００２−２６９６０７号公報
【非特許文献１】２００３年７月１６日付  日経新聞記事
【発明の開示】
【発明が解決しようとする課題】
【０００６】
ところで、一般に車載装置と路側装置との間で狭域通信（ＤＳＲＣ）を使ってデータを送受信する場合、狭域通信の通信可能領域と、車載装置を搭載している車両が、路側装置と通信が可能な領域を通過する際の所要時間とによって、転送できる情報量が大きな制約を受ける。つまり、車両速度が比較的速くて、路側装置との通信可能領域を通過する所要時間が短い場合には、車載装置に送信できる情報量は限られたものとなる。
【０００７】
しかし、上記の特許文献１に記載されているような従来技術では、このように車両が路側装置を通過する際の所要時間に応じて情報量が制限を受ける点については何ら考慮されておらず、路側装置で車両の存在が確認された場合には、路側装置から車載装置に対して各種大量の広告情報を一度に送信するようにしている。
【０００８】
このため、所要時間が短いときには大量の広告情報の内の一部しか車載装置に送信できず、残りの広告情報は途中で途切れてしまって、結局、広告内容がどのようなものか分からなくなったり、ユーザにとっては全く関心のない広告内容だけが配信されて、広告に対する興味がなくなって広告効果が希薄になるなどの不都合を生じる。
【０００９】
本発明は、上記の課題を解決するためになされたものであり、路側装置から車載装置に対して、ユーザの関心が高いと思われる広告情報を効率良くかつ確実に配信することができる広告配信システムを提供することを目的とする。
【課題を解決するための手段】
【００１０】
上記の目的を達成するために、本発明は、狭域通信（ＤＳＲＣ）により路側装置から車載装置に広告情報を配信するためのシステムであって、上記車載装置は、予め設定されたユーザの嗜好情報を保持する嗜好情報保持手段と、上記路側装置の要求に応じて当該装置に上記嗜好情報保持手段で保持されている嗜好情報を通知する嗜好情報通知手段と、上記路側装置から送られる広告情報を再生する広告情報再生手段とを有する一方、上記路側装置は、各種の広告情報を記憶する広告情報記憶手段と、この広告情報記憶手段に記憶されている広告情報の内から上記車載装置より受け取った嗜好情報に応じた広告情報を選別する情報選別手段と、この情報選別手段で選別された広告情報のみを上記車載装置に送信する広告情報送信手段とを備えている。
【発明の効果】
【００１１】
本発明の広告配信システムによれば、ユーザの関心が高い事柄を記載した嗜好情報を予め車載装置に登録しておき、広告情報の配信に先立ってこの嗜好情報を車載装置から路側装置へ送信することにより、車載装置に対して配信可能な広告情報の内からユーザが高い関心をもっている広告内容のみを選別した上で車載装置に転送する。
【００１２】
したがって、従来のように路側装置から車載装置に対して各種大量の広告情報を一度に送信することはないので、狭域通信（ＤＳＲＣ）を使用するような通信領域が限られている環境下においてもユーザが求める広告情報のみを路側装置から車載装置に向けて効率良くかつ確実に転送することができる。
【００１３】
また、本発明では、車載装置から路側装置に送信する際、嗜好情報を暗号化すれば、嗜好情報が第三者によって盗聴されるのを確実に防止することができるため、プライバシー保護に役立つ。
【発明を実施するための最良の形態】
【００１４】
実施の形態１．
図１はこの実施の形態１の広告配信システムを示すブロック図で、同図（ａ）は車載装置の構成を示し、同図（ｂ）は路側装置の構成を示している。
【００１５】
車載装置１は、全体の動作を集中的に司るマイクロコンピュータ等からなる車載制御部１１、予め設定されたユーザの嗜好情報を保持するメモリ１２、このメモリ１２に格納される嗜好情報を管理する嗜好情報管理部１３、ＤＳＲＣ通信を処理する無線制御部１４、および、ユーザとの間でマンマシンインタフェイスの役目を果たすユーザＩ／Ｆ部１５を備える。なお、メモリ１２は、例えばＣＤ−ＲＯＭ、メモリカード、ＲＯＭ等で構成される。また、ユーザＩ／Ｆ部１５は広告情報を再生するＬＣＤやスピーカ等を備えている。
【００１６】
そして、上記のメモリ１２が特許請求の範囲の嗜好情報保持手段に対応し、無線制御部１４が特許請求の範囲の嗜好情報通知手段に対応し、ユーザＩ／Ｆ部１５が特許請求の範囲の広告情報再生手段に対応している。
【００１７】
図２（ａ）に示すように、車載装置１から路側装置２に対してユーザの嗜好を表現する嗜好情報Ｄ１を通知する際には、無線制御部１４によって嗜好情報Ｄ１の伝送誤りの有無を検出する冗長符号Ｄ２が付加される。
【００１８】
ここに、メモリ１２に記憶される嗜好情報Ｄ１は、図２（ｂ）に示すように、例えば年齢、性別を始めとした広告情報を選別するに必要なデータをコード化した構造を有している。そして、この嗜好情報Ｄ１は、例えば車載装置１の購入時、または路側装置２を管理する業者との契約時等において、必要に応じてアンケートなどによりユーザの嗜好を調査した上で広告配信システムを管理する業者が予めメモリ１２に登録しておくことができる。
【００１９】
なお、嗜好情報Ｄ１に付加される冗長符号Ｄ２についての生成アルゴリズムは、ＣＲＣ（Ｃｙｃｌｉｃ  Ｒｅｄｕｎｄａｎｃｙ  Ｃｈｅｃｋ）やパリティチェックなどが一般に知られているが、特にアルゴリズムの種類に対する制約はない。
【００２０】
一方、路側装置２は、全体の動作を集中的に司るパーソナルコンピュータ等からなる路側制御部２１、各種の広告情報が蓄積されたハードディスク等からなるメモリ２２、車載装置２に対して配信する広告情報の管理を行う広告管理部２３、およびＤＳＲＣ通信を処理する無線制御部２４を含む。
【００２１】
そして、上記のメモリ２２が特許請求の範囲の広告情報記憶手段に対応し、広告管理部２３が特許請求の範囲の情報選別手段に対応し、無線制御部１４が特許請求の範囲の広告情報送信手段に対応している。
【００２２】
メモリ２２に格納される広告情報Ｄ３は、図３に示すように、例えば嗜好情報Ｄ１との対応をとるための傾向インデックスＤ３１、およびこの傾向インデックスＤ３１に対応する具体的な広告内容Ｄ３２を一つのレコードとしたデータベースである。この場合の嗜好情報Ｄ１と傾向インデックスＤ３１との対応構造は、広告選別のアルゴリズムによって様々な形態が考えられる。
【００２３】
例えば、広告情報Ｄ３の傾向インデックスＤ３１の内、インデックス１〜３には「趣味」が“音楽鑑賞”とした項目が割り当てられており、「好きな音楽」のジャンルとしてインデックス１には“演歌”が、インデックス２には“ポップス”が、インデックス３には“クラシック”が、それぞれ割り当てられる。なお、これはあくまで一例であって、このような態様に限定されるものではない。
【００２４】
次に、上記構成の広告配信システムにおいて、車載装置１に広告情報を配信する場合の動作について説明する。
【００２５】
車両の走行により、車載装置１が路側装置２との無線通信が可能な領域内に進入すると、最初に車載装置１と路側装置２の無線制御部１４，２４間で装置１，２間のＤＳＲＣ通信の接続を確立する。その後、車載装置１が通信可能領域を離脱するまで車載装置１と路側装置２との間でのデータ通信が可能となる。
【００２６】
このデータ通信可能状態の下で、まず、路側装置２の無線制御部２４は、路側制御部２１の指示によって車載装置１に対して嗜好情報Ｄ１を通知するように要求を出す。
【００２７】
この要求を受け取った車載装置１は、嗜好情報Ｄ１を路側装置２に通知する。すなわち、嗜好情報管理部１３は、車載制御部１１の指示によりメモリ１２に予め登録されている嗜好情報Ｄ１を読み出して無線制御部１４に送出する。そして、無線制御部１４は、この嗜好情報Ｄ１に冗長符号Ｄ２を付加した後に、その情報を路側装置２に向けて送信する。
【００２８】
路側装置２で受信された信号は、無線制御部２４で嗜好情報Ｄ１が抽出され、この嗜好情報Ｄ１が広告管理部２３へ送られる。広告管理部２３は、この通知された嗜好情報Ｄ１に基づいてユーザが最も関心が高いと思われる広告情報Ｄ３を選別する。例えば、嗜好情報Ｄ１に含まれる「趣味」の項目が“音楽鑑賞”であり、「好きな音楽」の項目が“演歌”であったとする。一方、広告情報Ｄ３の傾向インデックスＤ３１の内、インデックス１〜３は「趣味」が“音楽鑑賞”の項目で、インデックス１には「好きな音楽」のジャンルとして“演歌”が、インデックス２には「好きな音楽」のジャンルとして“ポップス”が、インデックス１には「好きな音楽」のジャンルとして“クラシック”が、それぞれ割り当てられているとすると、広告情報Ｄ３の内から“演歌”に関する広告内容Ｄ３２が選択される。
【００２９】
このようにして選別された広告情報Ｄ３（実際は広告内容Ｄ３２）は、無線制御部２４に送出されて車載装置１に向けて送信される。車載装置１では、こうして受け取った広告情報Ｄ３をユーザＩ／Ｆ部１５で例えば画像や音声等により再生する。
【００３０】
なお、上記の実施の形態１において、車載装置１のメモリ１２内の嗜好情報Ｄ１は、路側装置２が持つ秘密鍵に対応した公開鍵で暗号化された状態で登録する一方、路側装置２は、広告管理部２３によって車載装置１から受け取った暗号化されている嗜好情報Ｄ１を秘密鍵で復号するようにしてもよい。
【００３１】
このように、車載装置１から路側装置２に対して暗号化した嗜好情報Ｄ１を通知するようにすれば、嗜好情報Ｄ１が通信途中で第三者によって盗聴されるのを確実に防止することができ、プライバシー保護に役立つので都合がよい。
【００３２】
実施の形態２．
図４はこの実施の形態２の広告配信システムを示すブロック図であり、同図（ａ）は車載装置の構成を示し、同図（ｂ）は路側装置の構成を示している。なお、図１に示した実施の形態１と対応する構成部分には同一の符号を付している。
【００３３】
この実施の形態２の広告配信システムにおいて、車載装置１は、車載制御部１１、メモリ１２、嗜好情報管理部１３、無線制御部１４、およびユーザＩ／Ｆ部１５を備える。また、路側装置２は、路側制御部２１、メモリ２２、広告管理部２３、および無線制御部２４を備えるとともに、さらに、ユーザＩＤの情報が登録されたユーザＩＤメモリ２５、およびユーザＩＤの情報を管理するユーザＩＤ管理部２６を含む。
【００３４】
車載装置１において、嗜好情報保持手段としてのメモリ２２には、嗜好情報Ｄ１と共にユーザ識別用としてユーザＩＤの情報Ｄ４が登録されている。このユーザＩＤの情報Ｄ４は、嗜好情報Ｄ１をメモリ１２に登録する際に同時に登録しておくことができる。また、嗜好情報通知手段としての無線制御部１４は、図５に示すように、路側装置２からの要求に応じて当該装置２に対して嗜好情報Ｄ１と共にユーザＩＤの情報Ｄ４を冗長符号Ｄ２を付加した上で通知するようになっている。
【００３５】
一方、路側装置のユーザＩＤ管理部２６は、車載装置１から嗜好情報Ｄ１と共に受け取ったユーザＩＤの情報Ｄ４をユーザＩＤメモリ２５に登録されているユーザＩＤと比較してその正当性の有無を認証するようになっている。したがって、この実施の形態２において、ユーザＩＤ管理部２６が特許請求の範囲における認証手段に対応している。
その他の構成は、実施の形態１の場合と同様であるから、ここでは詳しい説明は省略する。
【００３６】
上記構成において、車載装置１が路側装置２との無線通信が可能な領域内に進入すると、最初に車載装置１と路側装置２の無線制御部１４，２４間で装置１，２間のＤＳＲＣ通信の接続を確立し、次に路側装置２は車載装置１に対して嗜好情報Ｄ１およびユーザＩＤの情報Ｄ４を通知するように要求する。
【００３７】
この通知要求を受信した車載装置１は、嗜好情報Ｄ１と共にユーザＩＤの情報Ｄ４を路側装置２に通知する。路側装置２に通知された両Ｄ１，Ｄ４の内、ユーザＩＤの情報Ｄ４は、ユーザＩＤ管理部２６へ送られ、また、嗜好情報Ｄ１は広告管理部２３へ送られる。
【００３８】
ユーザＩＤ管理部２６は、この受信したユーザＩＤの情報Ｄ４とユーザＩＤメモリ２５に登録されているユーザＩＤと比較してその正当性の有無を認証する。そして、両ユーザＩＤが一致しておれば、路側制御部２は、ユーザに応じた各種サービスを実行する。例えば、駐車場の登録車輌であることがユーザＩＤによって証明されれば、駐車場の管理や駐車料金の決済等を行う。
【００３９】
また、広告管理部２３では、受信した嗜好情報Ｄ１に基づいてユーザが最も高い関心をもっていると思われる広告情報Ｄ３を選別する。そして、選別した広告情報Ｄ３を車載装置１に送信する。車載装置１では受け取った広告情報Ｄ３を外部Ｉ／Ｆ部１５で再生する。この場合の動作は実施の形態１の場合と同様である。
【００４０】
このように、この実施の形態２では、路側装置２の通知要求に応じて車載装置１から嗜好情報Ｄ１と共にユーザＩＤの情報Ｄ４を送信するので、ユーザに対して広告配信を効率良く行えるだけでなく、有料道路の料金所における利用料金の決済や、駐車場の管理や駐車料金の決済等を行うことが可能になるなど、広告配信システムの付加価値をさらに高めることができる。
【００４１】
なお、この実施の形態２においても、車載装置１のメモリ１２内の嗜好情報Ｄ１は、路側装置２が持つ秘密鍵に対応した公開鍵で暗号化された状態で登録する一方、路側装置２は、広告管理部２３によって車載装置１から受け取った暗号化されている嗜好情報Ｄ１を秘密鍵で復号するようにすれば、嗜好情報Ｄ１が第三者によって盗聴されるのを防止することができる。
【００４２】
実施の形態３．
上記の実施の形態１，２では、嗜好情報Ｄ１やユーザＩＤの情報Ｄ４は、例えば車載装置１の購入時、または路側装置２を管理する業者との契約時等において広告配信システムの管理業者が予めメモリ１２に登録するようにしているが、ユーザがこれらの情報Ｄ１，Ｄ４を自ら設定入力するようにすることもできる。
【００４３】
図６は、このようにユーザが自ら嗜好情報Ｄ１やユーザＩＤの情報Ｄ４を入力するための外部端末機の構成を示すブロック図である。
【００４４】
この外部端末機３は、嗜好情報Ｄ１を構成する各種の項目（例えば図２（ｂ）に示した年齢、性別、…等）を選択するための項目データベース３１、ユーザとの間でマンマシンインタフェイスの役目を果たす操作パネル等からなるユーザＩ／Ｆ部３２、ユーザから入力される嗜好やユーザＩＤの情報を、所定のデータフォーマットに変換する情報生成部３３、および車載装置１とのインタフェースをとる車載Ｉ／Ｆ部３４からなる。
【００４５】
嗜好情報Ｄ１やユーザＩＤの情報Ｄ４を書き換える時には、外部端末機３の車載Ｉ／Ｆ３４と車載装置１のユーザＩ／Ｆ部１５とを互いに接続する。そして、ユーザは外部端末機３のユーザＩ／Ｆ部３２を操作して項目データベース３１を利用して自分の嗜好項目やユーザＩＤの情報を入力する。
【００４６】
こうして入力された嗜好やユーザＩＤの情報は、情報生成部３３で所定のデータフォーマットに変換された後、車載Ｉ／Ｆ部３４から車載装置１のユーザＩ／Ｆ部１５を通じてメモリ１２に送られて嗜好情報Ｄ１やユーザＩＤの情報Ｄ４として格納される。
【００４７】
なお、この実施の形態３において、外部端末機３は独立した一つの装置としたが、これに限らず、例えばパーソナルコンピュータ（ＰＣ）やカーナビゲーション装置に同機能を実現するソフトウェアをインストールすることにより実現することもできる。また、この実施の形態３の外部端末機３において、情報生成部３３は嗜好情報Ｄ１を公開鍵により暗号化する機能を持つようにしてもよい。
【図面の簡単な説明】
【００４８】
【図１】本発明の実施の形態１における広告配信システムを示すブロック図で、同図（ａ）は車載装置の構成を示し、同図（ｂ）は路側装置の構成を示している。
【図２】同システムにおいて、車載装置から路側装置に対して通知する情報の送信形態の説明図である。
【図３】同システムにおいて、路側装置に登録されている広告情報の格納形態の一例を示す説明図である。
【図４】本発明の実施の形態２における広告配信システムを示すブロック図で、同図（ａ）は車載装置の構成を示し、同図（ｂ）は路側装置の構成を示している。
【図５】同システムにおいて、車載装置から路側装置に対して通知する情報の送信形態の説明図である。
【図６】嗜好情報やユーザＩＤの情報を入力する外部端末機の構成を示すブロック図である。
【符号の説明】
【００４９】
１    車載装置
１２    メモリ（嗜好情報保持手段）
１４    無線制御部（嗜好情報通知手段）
１５    ユーザＩ／Ｆ部（広告情報再生手段）
２    路側装置
２２    メモリ（広告情報記憶手段）
２３    広告管理部（情報選別手段）
２４    無線制御部（広告情報送信手段）
２６    ユーザＩＤ管理部（認証手段）
３    外部端末機
Ｄ１    嗜好情報
Ｄ３    広告情報
Ｄ４    ユーザＩＤの情報
【図１】
2005134707.tif 000003
【図２】
2005134707.tif 000004
【図３】
2005134707.tif 000005
【図４】
2005134707.tif 000006
【図５】
2005134707.tif 000007
【図６】
2005134707.tif 000008